【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
手を挿入することができるように袋状に成形された払拭布であって、
その太さが１デニール以下の極細繊維を使用して構成される払拭面と、
前記払拭布に挿入した手の親指を内側から外側に露出させるための親指露出孔と、を有しており、
前記極細繊維を使用して構成される払拭面は、前記払拭布に手を挿入した際の手から近い位置の繊維の色と前記手から遠い位置の繊維の色が異なるように構成され、前記払拭面が使用によって摩耗するにつれてその色が変わるようになっており、
この親指露出孔から親指を露出させて払拭作業を行う際に、前記露出させた親指が前記払拭布に対するひっかかりとなるように構成されている、
払拭布。
【請求項２】
前記親指露出孔は、払拭面を軸として対称となる部位に二つ設けられている、
請求項１記載の払拭布。
【請求項３】
手を挿入した場合の手のひら側の払拭面及び手の甲側の払拭面と、これを裏返して手を挿入した場合の手のひら側の払拭面及び手の甲側の払拭面との、四つの払拭面を有する、
請求項２記載の払拭布。
【請求項４】
前記払拭布は、伸縮性を有する編み地により成形されている、
請求項１ないし３のいずれかの項記載の払拭布。
【請求項５】
前記払拭布は、一体縫製されている、
請求項１ないし４のいずれかの項記載の払拭布。
【請求項６】
親指を除いた指の、少なくとも一本以上を挿入できるように袋状に成形された袋本体と、前記袋本体に前記指のいずれか一本以上を挿入した際に、前記袋本体が前記指から抜け落ちるのを防止するための係止帯とを有しており、
前記袋本体は、その太さが１デニール以下の極細繊維を使用して構成される払拭面を備え、この極細繊維を使用して構成される払拭面は、前記払拭布に手を挿入した際の手から近い位置の繊維の色と前記手から遠い位置の繊維の色が異なるように構成され、前記払拭面が使用によって摩耗するにつれてその色が変わるようになっており、
前記係止帯は、前記袋本体を親指に係止できるようになっている、
払拭布。
【手続補正２】
【補正対象書類名】明細書
【補正対象項目名】０００５
【補正方法】変更
【補正の内容】
【０００５】
かかる課題を解決するための本発明の払拭布は、以下のようなものである。
すなわち、手を挿入することができるように袋状に成形された払拭布であって、その太さが１デニール以下の極細繊維を使用して構成される払拭面と、前記払拭布に挿入した手の親指を内側から外側に露出させるための親指露出孔と、を有しており、前記極細繊維を使用して構成される払拭面は、前記払拭布に手を挿入した際の手から近い位置の繊維の色と前記手から遠い位置の繊維の色が異なるように構成され、前記払拭面が使用によって摩耗するにつれてその色が変わるようになっており、この親指露出孔から親指を露出させて払拭作業を行う際に、前記露出させた親指が前記払拭布に対するひっかかりとなるように構成されている、払拭布である。
【手続補正３】
【補正対象書類名】明細書
【補正対象項目名】０００６
【補正方法】変更
【補正の内容】
【０００６】
タオル等には綿素材のものが多いが、綿を使用した繊維は、繊維の断面形状が円形であり、繊度も太いため、皮脂や角質を除去する効果が充分であるとはいえない。皮脂や角質を除去する効果を高めるためには、繊度の細いシルクや極細繊維を使用することが有効である。このことから、その太さが１デニール以下の極細繊維を使用して構成される払拭面を有する本発明の払拭布によれば、顔やひざ等の角質を効果的に除去することができる。
【手続補正４】
【補正対象書類名】明細書
【補正対象項目名】０００７
【補正方法】変更
【補正の内容】
【０００７】
また、この極細繊維を使用して構成される払拭面は、前記払拭布に手を挿入した際の手から近い位置の繊維の色と前記手から遠い位置の繊維の色が異なるように構成され、前記一つの払拭面が使用によって摩耗するにつれてその色が変わるようになっている。
このように構成された本発明の払拭布によれば、ユーザが極細繊維により構成されている払拭面の摩耗度合いを、視覚的に把握することができ、使いやすくなる。
より具体的には、例えば、払拭布に手を挿入した際の手から近い位置の色と前記手から遠い位置の色が異なるように編み目を構成してもよいし、異なる色の不織布または織物が積層してなる複合布を用いてもよい。
【手続補正５】
【補正対象書類名】明細書
【補正対象項目名】０００８
【補正方法】変更
【補正の内容】
【０００８】
また、本発明の払拭布は、親指露出孔を有している。この親指露出孔は、親指をこの親指露出孔から露出させて払拭作業を行う際に、露出させた親指が、前記払拭布に対するひっかかりとなるように構成されているため、払拭布を手から脱け落ちにくくすることができる。
【手続補正６】
【補正対象書類名】明細書
【補正対象項目名】０００９
【補正方法】変更
【補正の内容】
【０００９】
この親指露出孔は、払拭面を軸として対称となる部位に二つ設けられていてもよい。
一般的に、袋状の払拭布は、これに利き手を挿入し、その手のひら側の払拭面で払拭するようにして使用するため、親指露出孔が一つ設けられている払拭布は、利き手を挿入した場合の手の甲側の払拭面が有効に使用されないことが考えられる。
これに対して、親指露出孔が払拭面を軸として対称となる部位に二つ設けられた払拭布によれば、一方の親指露出孔に親指を入れた場合の手のひら側の払拭面は、他方の親指露出孔に親指を入れた場合の手の甲側の払拭面に相当するため、片側の面だけでなく、両側の払拭面を有効に使用することができる。
【手続補正７】
【補正対象書類名】明細書
【補正対象項目名】００１０
【補正方法】変更
【補正の内容】
【００１０】
この袋状の払拭布は、手を挿入した場合の手のひら側の払拭面及び手の甲側の払拭面と、これを裏返して手を挿入した場合の手のひら側の払拭面及び手の甲側の払拭面との、四つの払拭面を有するように構成することもできる。こうすれば、裏側の両面も払拭面として使用することができるようになる。
この四つの払拭面をすべて極細繊維を用いて構成することもできるが、極細繊維を使用していない払拭面を有するように構成してもよい。こうすれば、通常は、極細繊維を使用していない払拭面で洗顔等を行い、角質を除去したい場合には、極細繊維を使用した払拭面で払拭することができ、目的に応じて払拭面を使い分けられるようになるため、使いやすさが向上する。
なお、この場合、極細繊維により構成される払拭面の色と、それ以外の繊維により構成される払拭面の色とがお互いに異なるように構成してもよい。こうすれば、ユーザが一目でどちらの払拭面か把握することができ、より使いやすいものとなる。
【手続補正８】
【補正対象書類名】明細書
【補正対象項目名】００１３
【補正方法】変更
【補正の内容】
【００１３】
また、本発明の他の払拭布は、親指を除いた指の、少なくとも一本以上を挿入できるように袋状に成形された袋本体と、前記袋本体に前記指のいずれか一本以上を挿入した際に、前記袋本体が前記指から抜け落ちるのを防止するための係止帯とを有しており、前記袋本体は、その太さが１デニール以下の極細繊維を使用して構成される払拭面を備え、この極細繊維を使用して構成される払拭面は、前記払拭布に手を挿入した際の手から近い位置の繊維の色と前記手から遠い位置の繊維の色が異なるように構成され、前記払拭面が使用によって摩耗するにつれてその色が変わるようになっており、前記係止帯は、前記袋本体を親指に係止できるようになっている。
このような払拭面を有する払拭布によっても、ユーザが極細繊維により構成されている払拭面の摩耗度合いを視覚的に把握することができ、使いやすくなる。
また、このような係止帯を有する払拭布によれば、上述の親指露出孔を有する払拭布と同様に、袋本体が指から抜け落ちることを防止することができる。
この払拭布は、伸縮性を有する編み地によって成形されていてもよいし、一体縫製されていてもよい。
また、袋本体に指を挿入した場合の指の内側及び指の外側の払拭面と、これを裏返して指を挿入した場合の指の内側及び指の外側の払拭面との、四つの払拭面を有するようになっていてもよい。
さらに、この払拭布の払拭面の少なくとも一面を、極細繊維を使用して構成してもよい。